(57)【要約】　　　（修正有）【課題】寒冷地での水道配管の途中に接続され、排水時、管内に空気を導入して、排水をスムーズに行わせるための吸気弁に関し、水漏れの生じない湯用吸気弁を提供することを目的とする。【解決手段】湯の圧力により開閉される吸気弁とは別体に、水配管からの水圧と、ばねにより吸気弁上流の吸気口を開閉するピストン１５をもうけ、常態においては、水圧力が湯圧力とばね力にうち勝って、ピストンが吸気口９を閉塞し、水抜き時には、ばね１９の復元力により、吸気口を開いて、吸気弁１から大気を吸入するようにしたものである。【選択図】図１
2004052288.tif 000002
【特許請求の範囲】
【請求項１】
湯用吸気弁から連続する弁箱の湯用吸気弁側端部の吸気口に隣接する湯配管からの湯受け口および水配管からの水受け口の両者間を遮断する湯水受けパッキンと、上記吸気口に密着する吸気パッキンを装着し、ばねにより常に水受け口方向の押圧力を受けたピストンが、常態においては水圧力により上記ばねを圧縮して吸気口を閉塞し、水抜き時にはばねの復元力により吸気口を開放するようにしたことを特徴とする圧力応答型湯用吸気弁。
【請求項２】
上記弁箱には、湯受け口に隣接する、湯受けパッキンが密着する小径の湯用密封面と、水受け口に隣接する、水受けパッキンが密着する大径の水受け密封面をもうけたことを特徴とする請求項１記載の圧力応答型湯用吸気弁。
【発明の詳細な説明】
【０００１】
【発明の属する技術分野】
本発明は、寒冷地での水道配管の途中に接続され、排水時、管内に空気を導入して、排水をスムーズに行わせるための吸気弁に関し、特に、湯用吸気弁の水漏れを防止するようにした、圧力応答型湯用吸気弁に関する。
【０００２】
【従来の技術】
従来、寒冷地において、配管内の水抜きの際、蛇口を開かないで済むよう、あるいは、上下の屈折部のある、いわゆる門型配管の場合、水、湯抜きを完全に行わせるようにするため、配管の途中に吸気弁を取り付けることが多かった。しかし、湯配管の吸気弁の場合、ボイラから供給される圧力が低いことが多く、特に立ち下がり管近辺に吸気弁が取り付けられたときは、湯を流したとき、管内圧力が負圧になる部分も生じ、吸気弁が開いたり、閉じたりする不安定状態が生じ、吸気弁に錆等の管内の異物がはさまって漏水の原因になることが、しばしばあった。
【０００３】
吸気弁のばねを強くすれば、上記の問題は解決するわけであるが、その分だけ配管内の残り水が多くなり、凍結の原因になりかねないので、ばねをあまり強くするわけにはいかないという、ジレンマがあった。
【０００４】
【発明が解決しようとする課題】
本発明は上記課題を解決するために出願されたものであり、従来の吸気弁をそのまま使用できるので配管内に残り水を生じさせない、しかも、水漏れも生じることがない、湯用吸気弁を提供することを目的とする。
【０００５】
【課題を解決するための手段】
上記課題を解決するため本発明の吸気弁は、湯の圧力により閉塞される吸気弁とは別体に、水配管からの水圧とばねにより吸気弁上流の吸気口を開閉するピストンをもうけ、常態においては、水圧力が湯圧力とばね力にうち勝って、ピストンが吸気口を閉塞し、水抜き時には、ばねの復元力により、吸気口を開いて、吸気弁から大気を吸入するようにしたものである。
【０００６】
【発明の実施の形態】
以下、図面に基づいて実施形態を詳細に説明する。図１に本発明の圧力応答型湯用吸気弁の１実施例を示すが、１は従来の湯用吸気弁であり、弁本体２内に弱い吸気ばね３で押圧された吸気弁体４を収容し、装着したＯリング５により密封させるようにしている。６は止水蓋であり、漏水が生じたときは、クリップ７を外し、締め付けて止水する。
【０００７】
湯用吸気弁１が接続される弁箱８は、接続部に小径の吸気口９を穿ち、先端に弁座状の吸気密封面１０をもうける。さらにその上流側、直角方向に吸気密封面１０に隣接して湯受け口１１と、吸気密封面１０と同一軸心上に水受け口１２を形成し、両者間に、湯受け口１１に隣接するシリンダ状で小径の湯用密封面１３と、水受け口１２に隣接する同じくシリンダ状で大径の水用密封面１４を位置させている。水受け口１２は、流水通路となる水配管から、例えば銅管等で分岐接続されて水圧力を導入できるようにしている。
【０００８】
１５はピストンであり、右端に上記吸気密封面１０を閉塞する吸気パッキン１６を、中間部に湯用密封面１３を摺動する湯受けパッキン１７を、左端に水用密封面１４を摺動する水受けパッキン１８を装着し、強いばね１９により常に水受け口１２方向の押圧力を受けている。
【０００９】
湯水受けパッキン１７，１８は、経年変化による摩擦力の増加等も考慮し、できるだけ摺動抵抗が少なくなるよう、断面Ｙ状の一方向密封性パッキンを使用しているが、勿論それに拘るものではない。なお、２０は、ピストン１５のストッパーともなる離脱防止用のリングであり、２１はピストン１５がスムーズに動くよう、また、万一、湯水受けパッキン１７，１８が故障した場合の湯水混合防止のための逃がし口となる空気穴である。
【００１０】
図は、水抜栓が開栓して、末端の蛇口まで水が至っている常態を示しているが、水用密封面１４が湯用密封面１３より大きいこと、通常は水圧力が湯圧力より高いことにより、ピストン１５は右方向へ押圧され、ばね１９を圧縮して吸気パッキン１６が吸気密封面１０に密着し、湯受け口１１から湯用吸気弁１内への湯の侵入を防止している。
【００１１】
この状態は、蛇口を開いて湯を流しているときも、蛇口を閉じたときも変わらない。つまり、湯を流したとき、配管内の圧力低下により吸気弁体４が開き、それが原因で水漏れが生じる、という事故は起こらないことになる。
【００１２】
次に、水抜栓を操作して管内の水抜きをしたときは、湯受け口１１，水受け口１２への圧力がなくなるため、ばね１９の復元力によりピストン１５はリング２０に当接するまで移動し、吸気パッキン１６が吸気密封面１０から離脱して、吸気弁体４が開き、吸気口９から大気が湯受け口１１を介して、湯配管内に導入される。つまり通常の吸気弁と同様の作動をする。再び水抜栓を開いたときは水受け口１２にかかる水圧力により、ピストン１５はばね１９を圧縮して旧位に復する。
【００１３】
図２に本発明の他の実施例を示しているが、湯用吸気弁１の弁本体２と弁箱８を一体物にし、吸気口９を大径にするとともに、湯用密封面１３と水用密封面１４を同一径で一体に形成し、水受けパッキン１８に図１の一方向密封性パッキンを使用し、湯受けパッキン１７にＯリングを使用して、図１の空気穴２１を省略している。
【００１４】
湯水受けパッキン１７，１８はいずれかを省略することもできるが、そこからリークが生じた場合、湯水が混合することになり、望ましいことではないので、より安全性を高めるためのものである。勿論、両パッキン間に図１の空気穴２１を形成することもできる。吸気密封面１０をテーパー状にし、吸気パッキン１６にＯリングを使用している。
【００１５】
本実施例では、形状がコンパクトで、構造も単純になるが、ボイラー圧が高い場合、図１のものと異なり、吸気パッキン１６からリークが生じてピストン１５が開いたままになる可能性もある。
【００１６】
図３の実施例は、図２のものを変形させたものであり、湯用密封面１３を弁座状に形成し、そのかわり、吸気密封面１０ををシリンダ状にしており、ピストン１５を二つ継ぎにし、湯受けパッキン１７を挟み込むように装着し、吸気パッキン１６として一方向性密封性パッキンを使用している。
【００１７】
本実施例では、図１，図２のものに比して、吸気パッキン１６が吸気密封面１０より離脱するまでの余分なストロークを必要とするが、水用密封面１４と湯用密封面１３に径差が生じるため、吸気パッキン１６からリークした場合も、ピストン１５が開いたままになるという事故の防止が可能になる。
【００１８】
【発明の効果】
以上のように本発明においては、常態では水圧力によりピストンが湯用吸気弁を完全に閉塞し、水抜き時にのみ、ばねにより湯用吸気弁を開放し、通常の湯用吸気弁として作動させるようにしたので、管内の湯圧力がいかに低下しても湯用吸気弁が開作動することはなく、従って、今まで多かった湯用吸気弁の水漏れ事故を、安い費用で有効に防止できる効果があり、さらにピストンも常態では静止状態を維持しているため、やはり、パッキンからのリークは生じにくいという利点もある。
【図面の簡単な説明】
【図１】本発明の圧力応答型湯用吸気弁の１実施例を示す縦断面図である。
【図２】本発明の圧力応答型湯用吸気弁の他の実施例を示す縦断面図である。
【図３】本発明の圧力応答型湯用吸気弁のもう一つの実施例を示す縦断面図である。
【符号の説明】
１　　　　　　　湯用吸気弁
８　　　　　　　弁箱
９　　　　　　　吸気口
１１　　　　　　　湯受け口
１２　　　　　　　水受け口
１３　　　　　　　湯用密封面
１４　　　　　　　水用密封面
１５　　　　　　　ピストン
１６　　　　　　　吸気パッキン
１７　　　　　　　湯受けパッキン
１８　　　　　　　水受けパッキン
１９　　　　　　　ばね
【図１】
2004052288.tif 000003
【図２】
2004052288.tif 000004
【図３】
2004052288.tif 000005